(57)【特許請求の範囲】
【請求項１】
主循環系から戻されて上部の散水トレーから散水され冷却されて下部の水槽に集められて該水槽から取り出されて前記主循環系で冷却水として循環されて使用される冷却塔の用水をオゾンで殺菌する冷却塔のオゾン殺菌装置において、
前記水槽又は前記主循環系から前記用水の一部分を取り出す取水管系と、
該取水管系から前記水槽及び前記散水トレーにそれぞれ接続された下部戻し管系及び上部戻し管系と、
高濃度のオゾンガスを発生させるオゾン発生装置を備え前記オゾンガスを前記下部戻し管系又は前記上部戻し管系のうちの少なくとも何れかに供給可能なオゾン供給系と、
前記下部戻し管系と前記上部戻し管系との間で用水の流れを切り換え可能な切換手段と、
前記用水の温度を検出する温度検出手段と、
該温度検出手段で検出された前記用水の温度に対応して前記オゾンガスの量を制御する制御手段と、
を有することを特徴とする冷却塔のオゾン殺菌装置。
【請求項２】
前記主循環系に流れ検知手段を設け、
前記制御手段は前記流れ検知手段が流れの停止状態を検知すると前記オゾン発生装置を間欠運転する間欠運転部を有することを特徴とする請求項１に記載の冷却塔のオゾン殺菌装置。
【発明の詳細な説明】
【０００１】
【発明の属する技術の利用分野】
本発明は、上部の散水トレーから散水され冷却されて下部の水槽に集められて冷却水として循環されて使用される冷却塔の用水をオゾンで殺菌する冷却塔のオゾン殺菌装置に関し、特にレジオネラ菌の殺菌を十分に且つ効率的に行う技術に関する。
【０００２】
【従来の技術】
冷却塔では用水の温度が高く、空気中の有機物が溶解し易いために、特に夏場を中心として微生物が繁殖し易い。又、直射日光も当たるので藻の発生がしばしば見られる。更に、このような環境ではレジオネラ菌が増殖する。このレジオネラ菌は、人が呼吸器に吸引すると特有の疾病を引き起こすことがあり、人体に対して重大な悪影響を及ぼす。そのため、レジオネラ菌については、厚生省生活衛生局監修の「レジオネラ菌防止指針」や日本冷凍空調工業会の冷凍空調機器用水質ガイドラインにおいて、１００ｍｌ当たり１００ＣＦＵ（Colony Formation Unit)以下と規定されている。
【０００３】
一方、一般的なオゾン殺菌システムでは、１ｃｃ中の生菌数を１０〜１０3 ＣＦＵ程度にする処理を行う。例えば、上水道では一般細菌数が１００ＣＦＵ／ｍｌ以下、又前記ガイドラインではスライム障害に対する細菌数が１０3 ＣＦＵ／ｍｌ以下、という基準になっている。そして、オゾンを用いて冷却塔の殺菌処理を行った例は従来でも幾らかあるが、これらの装置も上記と同程度の殺菌処理を目的としたものであった。従って、このような数値とは二桁〜三桁も違うレジオネラ菌の殺菌という点では、従来の装置や方法でオゾンを使用しても目的とする殺菌効果を上げることはできない。
【０００４】
又、冷却塔をオゾン処理する場合、通常、オゾン発生装置を一定の出力で運転し、運転時間を自動的に変えることによってオゾン処理能力を調整するようにしていた。しかしながら、レジオネラ菌の場合、生菌数を極めて厳しく規制する必要があるため、このような大まかな運転方法ではその目的を達成することができない。
【０００５】
冷却塔では、外気温度が上昇する７月中頃から９月中頃までの約２カ月の間が最もオゾン殺菌が必要な時期になる。即ち、この時期には、冷却塔の水温が３０℃〜３５℃になり、レジオネラ菌を含み微生物が繁殖し易く、又、強い日射を受けて藻類の発生も著しくなる。一方、１０月以後になると、急激に水温が低下し、レジオネラ菌を含む微生物や藻類の繁殖も少なくなり、且つ水温の低下に対応してオゾンの水への溶解度が高くなり、更に溶存オゾンの自己分解性も低下するので、オゾンの要求される複数の要因が何れも減少し、その結果オゾン供給量が過剰になりやすい。更に、このような時期には、空調用の冷却塔においてその下部水槽に水を溜めた状態で冷却水ポンプが停止されることがよくあり、そのようなときにもオゾン処理システムを作動させると、下部水槽全体の水のオゾン濃度が高くなり過ぎる。
【０００６】
従って、オゾン濃度を高くすれば、殺菌や藻の繁殖防止にはよいが、冷却塔の装置各部や配管に対しては、オゾンによる劣化が進行するという問題が生ずる。又、装置の運転及び保守費用も高くなる。ところが、従来では、レジオネラ菌を確実に殺菌・消滅させると共にオゾン濃度が不必要に過剰になることを防止できる装置はなかった。
【０００７】
【発明が解決しようとする課題】
オゾン濃度を適正範囲に維持しつつレジオネラ菌を確実に殺菌するには、水槽内の溶存オゾンを検出してこれを一定にする制御方式も考えられるが、微量のオゾン検出は測定精度上問題があり、又装置のメンテナンスに時間がかかり、更にそのような検出計器が高価であるためにオゾン発生装置がコスト高になるという問題がある。そこで本発明は、従来技術に於ける上記問題を解決し、冷却塔の用水中のレジオネラ菌を人体に対して悪影響のない程度以下まで確実に殺菌できると共に、オゾンの過剰供給を防止し、運転や維持費用の低減された冷却塔のオゾン殺菌装置を提供することを課題とする。
【０００８】
【課題を解決するための手段】
本発明は上記課題を解決するために、請求項１の発明は、主循環系から戻されて上部の散水トレーから散水され冷却されて下部の水槽に集められて該水槽から取り出されて前記主循環系で冷却水として循環されて使用される冷却塔の用水をオゾンで殺菌する冷却塔のオゾン殺菌装置において、前記水槽又は前記主循環系から前記用水の一部分を取り出す取水管系と、該取水管系から前記水槽及び前記散水トレーにそれぞれ接続された下部戻し管系及び上部戻し管系と、高濃度のオゾンガスを発生させるオゾン発生装置を備え前記オゾンガスを前記下部戻し管系又は前記上部戻し管系のうちの少なくとも何れかに供給可能なオゾン供給系と、前記下部戻し管系と前記上部戻し管系との間で用水の流れを切り換え可能な切換手段と、前記用水の温度を検出する温度検出手段と、該温度検出手段で検出された前記用水の温度に対応して前記オゾンガスの量を制御する制御手段と、を有することを特徴とする。
【０００９】
請求項２の発明は、上記に加えて、前記主循環系に流れ検知手段を設け、前記制御手段は前記流れ検知手段が流れの停止状態を検知すると前記オゾン発生装置を間欠運転する間欠運転部を有することを特徴とする。
【００１０】
【発明の実施の形態】
図１は本発明を適用した冷却塔のオゾン殺菌装置の全体構成の一例を示し、図２はその水槽部分の構造例を示す。
冷却塔のオゾン殺菌装置は、上部の散水トレー１１から散水され冷却されて下部の水槽１２に集められ冷却水として循環されて使用される冷却塔１の用水をオゾンで殺菌する装置であり、用水の一部分を取り出す取水管系２、この管系から水槽１２又は散水トレー１１にそれぞれ接続された下部戻し管系３又は上部戻し管系４のうちの少なくとも何れかの戻し管系として本例では両方の下部戻し管系３及び上部戻し管系４、オゾン発生装置５を備えたオゾン供給系６、温度検出手段としての温度センサ７、制御手段としてのコントローラ８、等を有する。なお、例えばレジオネラ菌の発生の比較的少ない地域等に設置される冷却塔では、下部戻し管系３又は上部戻し管系４のうちの何れかのみに戻し管系を設けてもよい場合がある。
【００１１】
冷却塔１は、上記散水トレー１１及び水槽１２と共に、散水トレーの水を噴射させる多数のノズル部１１ａ、水の接触する部分の表面積を拡大するように充填物が設けられた蒸発部１３、蒸発部を通過する水を蒸発させてその潜熱で用水を冷却するように外気を吸入して排出するファン１４、図２にも示すように水槽１２内に本例では左右にそれぞれ５個所に分散された排出口１５ａを備え下部戻し管系３に接続された水槽内管系１５、水槽１２から冷却された水を取り出して空調機やその他の諸装置の冷却水として利用し循環させて再び散水トレー１１に戻す主循環系１６、１７、等を備えている。符号１８及び１９は用水利用側に設けられた主循環ポンプ及び熱交換器である。但し、他の構造の冷却塔に対しても本発明を適用できることは勿論である。
【００１２】
取水管系２は、本例では、水槽１２内の用水をその底部からストレーナ２１を介してオゾン溶解ポンプ２２によって取り出すように構成されている。但し、この系を主循環系１６又は１７から導設するようにしてもよい。下部及び上部戻し管系３、４には、取水された用水をこれらの何れか又は両方に戻せるように、分岐された用水の流れを切り換えられる切換手段として電磁弁３１及び４１が設けられている。
【００１３】
オゾン供給系６は、前記電磁弁３１及び４１の開閉によってオゾンを下部戻し管系３又は上部戻し管系４のうちの少なくとも何れかに供給可能なように、前記オゾン発生装置５、取水管系２の構成部分でもある前記オゾン溶解ポンプ２２、オゾン吸入混合用のエゼクタ６１等によって構成されている。
【００１４】
オゾン発生装置５は、固体高分子電解質膜を用いた電解式のもので、図示しない気液分離タンクを含む電解セル部５１及び供給される交流電源を直流に変換して電解セル部に流す直流電源発生部５２を備えている。直流電源発生部５２には、リモート出力制御端子５２ａを備えた電流制御部分が設けられていて、外からの信号によって電解セル部５１に流す電流値を変えることにより、これに比例したオゾンガス量を発生できるようになっている。
【００１５】
そして本例では、オゾン発生装置５の定格である１００％出力時即ち電流値が１００％で２００Ａのときに、２００〜２５０ｇ／Ｎｍ3 の高濃度のオゾンガスを例えば１００％の４８g/h 発生させている。これにより、用水の一部分が下部戻し管系３又は上部戻し管系４からそれぞれ水槽１２又は散水トレー１１の少なくとも何れかに戻されたときに戻された方の水槽又は散水トレーの何れかに残留オゾンが存在するようにオゾンを供給することができる。
【００１６】
この場合、２００ｇ／Ｎｍ3 以上の高濃度オゾンガスを発生させれば、分岐系のオゾン濃度が高くなり、少ない水量であっても溶解オゾンの総量を多くすることができる。その結果、主循環水に対する分岐水の割合を減らし、冷却塔の性能に対する分岐水の影響を軽微にすると共に、分岐系を小型化することができる。又、本例の如く水槽内管系１５を設けると、水槽１２内に戻されたオゾン水を水槽内に分散させて導入し、内部の水と良く混合させ、オゾンの効果を水槽内に均一的に発生させることができる。この場合、図２に示す如く排出口１５ａが蒸発部１３から落下する水の端に位置するように水槽内管系１５を設ければ、水槽壁面や水槽内の水全体にオゾン効果を行き渡らせることができる。
【００１７】
なお、オゾン発生装置のオゾン発生量及びオゾン濃度は、冷却塔の大きさ、それに対応した主循環系及び分岐系の流量及び比率、有機物等の量に関連するオゾン消費量やオゾンの自己分解の程度、多量の用水を貯留している下部水槽１２内における戻りオゾン水と貯留水との混合の良否、等の諸条件から実際の冷却塔システムに適合するように定められる。
【００１８】
温度センサ７は、本例では取水管系２に設けられ用水の温度を検出している。但し、温度センサ７を水槽１２に直接に又は主循環ラインに設ける等、他の位置に設けてもよいことは勿論である。コントローラ８は、温度センサ７で検出された用水温度に対応してオゾン発生装置５で発生させるオゾン量を制御する。即ち、例えば図３に示す如く、オゾン発生装置５の電流値従って出力を、最大である１００％に対して、センサ７で検出した温度が１５℃以下、１５℃〜３５℃、及び３５℃以上のときのそれぞれに対して、一定値５０％、５０％から１００％まで温度に比例した値、及び一定値１００％にする。そのために、前記５０％に相当する４ｍＶから前記１００％に相当する２０ｍＶまでの制御用電圧信号をオゾン発生装置５の電流調整部分の前記リモート出力制御端子５２ａに与える。
【００１９】
以上のような冷却塔のオゾン殺菌装置は次のような運転される。
オゾン発生装置５及びオゾン溶解ポンプ２２を運転すると共に、本例では電磁弁３１／４１を図示しないタイマーによって４時間毎に開閉切換している。ポンプ２２は、冷却用の主循環水の２〜５％程度の水を流す容量になっていて、分岐系にはこの程度の水が循環している。オゾン発生装置５が運転され、このときの温度センサ７の検出温度が３５℃以上であれば、コントローラ８はオゾン発生装置５のリモート出力制御端子５２ａに最大の２０ｍＶの信号電圧を発信し、冷却条件によって異なるが２００ｇ／Ｎｍ3 以上の高濃度オゾンガスを最大の４５g/h 発生させ、これをエゼクタ６１に吸入させる。これにより、分岐水を２〜３％の高濃度のオゾン水にして、分岐水中のレジオネラ菌を殺菌すると共に、未反応又は未分解部分によって溶存オゾンの残留した水にすることができる。
【００２０】
この分岐水は、電磁弁３１又は４１の開閉に応じて、下部の水槽１２又は上部の散水トレー１１に戻され、その中の水中に分散される。下部水槽１２には広い範囲から水が落下し内部の貯留水量も多いが、前述の如く水槽内管系１５によって排水口１５ａが分散されているので、分岐水を内部の水と良く混合させ、分岐水中に溶存しているオゾンに水槽内においても均一的な殺菌作用をさせることができる。散水トレーでは水量が少ないので更に十分な殺菌効果が生ずる。
【００２１】
水槽では、オゾンが菌類や藻類と反応したり自己分解して更に消耗されるが、高濃度オゾンを最大量供給することにより、水槽内でも１０〜４０ppb という極めて微量であるがオゾンを残留させることができる。これにより、水槽部分におけるレジオネラ菌の殺菌効果を確保することができる。なお、残留オゾンの検出精度の問題はあるが、水槽内の溶存オゾンが丁度０になるときでも、レジオネラ菌の殺菌効果は得られる。又、水槽内の用水が主循環系に供給されてその過程で完全にオゾンが分解しても、散水トレー１１にもオゾン水を供給するので、この部分や蒸発部１３等における十分な殺菌効果を得ることができる。その結果、冷却塔の用水全体として、レジオネラ菌をほぼ完全に殺菌することができる。
【００２２】
発明者等は、本発明を適用したオゾン殺菌装置を使用して実際の冷却塔で実験し、次のような結果を得た。
冷却塔の冷却能力                      3.36×106 kcal/h
循環水量                                420,000 kg/h
分岐水量                                 16,000 kg/h (約４％）
オゾン発生装置のオゾン発生量                 48 g/h
オゾン濃度                                  200 g/Nm3
分岐水中の溶存オゾン                       2〜3 ppm
上下部戻し管系3/4 の切換時間                  4 時間毎
下部水槽内残留溶存オゾン                 10 〜40 ppb
100ml 当たりのレジオネラ菌の数
オゾン処理前                       2.6×104 CFU /100ml
オゾン処理１日後                        ０  CFU /100ml
以上の如く、本発明を適用して３５℃以上の高温時にオゾン発生装置５を１００％の出力で運転することにより、レジオネラ菌を完全に殺菌できることが実証された。
【００２３】
分岐管方式によれば、オゾンの殺菌力によって通常分岐水を十分殺菌できる。例えば、分岐水を１００ＣＦＵ／１００ｍｌ以下にすることは容易である。そして、例えば５〜２０％程度の分岐水がこのように殺菌されていくとすれば、数時間後には、主流を含む全体の用水が１００ＣＦＵ／１００ｍｌ以下になるものと推定される。しかしながら、発明者等の上記とは別の実験によれば、特に夏期において水温が３５℃近くまで上昇すると、主流の配管の管壁や熱交換器等を含む管系の内面で微生物が急速に増殖するため、上記の１／１０程度、即ち１０〜１００ＣＦＵ／１ｍｌ程度にすることはできるが、それ以下のレベルにするのは極めて難しいことが判明した。
【００２４】
しかしながら、本例の冷却塔のオゾン殺菌装置によれば、上記実験結果に示す如く、
▲１▼  ２００g/Nm3 以上という高濃度のオゾンガスを発生させ、このオゾンによって取水管系２の分岐水を高濃度のオゾン水にし、分岐水中のレジオネラ菌を完全に殺菌すること、
▲２▼  分岐水中に２〜３ｐｐｍの溶存オゾンが残留するようにし、このような溶存オゾンを含む分岐水を主流の約４％の水量にして水槽１２及び上部散水トレー１１に交互に導入すること、
▲３▼  水槽１２には分岐水を多数の排出口１５ａから分散させて導入し、用水の主流を成す内部の水や主循環水及び壁面等に均一にオゾンによる殺菌作用を発揮させると共に、このような作用を確保するために水槽内でも１０〜４０ｐｐｂという極めて微量ではあるが溶存オゾンを残存させること、
▲４▼  水槽１２と切り換えて散水トレー１１にも分岐オゾン水を導入し、主流による殺菌効果が及び難く藻の発生しやすい散水トレー１１部分や蒸発部１３を構成する充填層部分等にも直接殺菌効果を及ぼすこと、
等から成る必要且つ十分な総合的オゾン処理操作を行うことにより、初めて確実且つほぼ完全にレジオネラ菌を殺菌することができる。
【００２５】
なお、本例では高濃度オゾンガスにより分岐水中の溶存オゾン濃度を２〜３％にして分岐水量を主流の約４％という少ない量にしているが、無声放電式のオゾン発生装置を使用する場合等には、分岐水中の溶存オゾン濃度が０．４〜０．５％になるため、分岐水量を多くして主流の約２０％にする。その結果、水槽内の水に微小溶存オゾンを残留させ、同様のレジオネラ菌殺菌効果を上げることができる。
【００２６】
以上のような高温時の運転状態から、外気温度の低下によって用水温度が例えば３０℃に低下したときには、温度センサ７がこれを検出し、図３に示す如くコントローラ８はオゾン発生装置の出力を８７．５％にして、オゾン発生量をこれに対応した量にする。その結果、分岐系のオゾン水濃度は前記２〜３％からこの出力比に相当する分だけ低下し、水槽１２内では溶存オゾンが検出されないようになる。
【００２７】
しかし、このときには、用水温度が３０℃になってレジオネラ菌の数もほぼ１桁低下していること、この出力でも水槽１２内で溶存オゾンによるレジオネラ菌の殺菌作用は生じていること、分岐水では強い殺菌作用が発揮されレジオネラ菌は完全に殺菌されること、等の理由から、オゾン発生装置の出力を低下させてもレジオネラ菌をほぼ完全に殺菌することができる。一方、このようにオゾン発生装置の出力を下げて用水中のオゾン水濃度を下げることにより、電力消費が減少し運転時の省エネが図られると共に、冷却塔本体や用水循環系の材料のオゾンによる劣化が防止され、運転費用や保守費用を低減させることができる。
【００２８】
用水温度が更に低下して２５℃程度になると、通常レジオネラ菌は余り検出されなくなる。しかし、人体に対するレジオネラ菌の悪影響を確実に防止するため、本例ではオゾン発生装置を７５％程度の出力で運転し、レジオネラ菌の殺菌作用を保持しつつ、オゾン発生装置の運転及び保守費用を更に低減させるようにしている。用水温度が１５℃以下になると、レジオネラ菌は全く検出されないので、オゾン発生装置を停止させることも考えられるが、低温環境にも適した微生物や藻類もあり、これらの増殖によるスライム障害の発生を確実に防止するため、コントローラ８はオゾン発生装置の出力が５０％になるように制御する。その結果、冷却塔を良好な条件に維持しつつ、その運転及び保守費用の一層の低減を図ることができる。
【００２９】
以上のような用水温度の変化とレジオネラ菌との関係については、次のような実測結果が得られている：
0004305582.tif 000002
上記におけるオゾン処理後の数値は、本例の装置によるオゾン発生装置の出力制御のときと同様の運転をしたときのデータである。この結果によれば、本発明を適用すべき要因及びそのときの本発明適用の効果が明白である。
【００３０】
図４は本発明を適用した冷却塔のオゾン殺菌装置の他の例を示す。
本例では、循環されるラインである主循環系１６に流れ検知手段であるフロースイッチ９を設けると共に、コントローラ８に間欠運転部８ａを設けている。これにより、間欠運転部８ａは、フロースイッチ９が主循環系１６の流れの停止状態を検出してオフになると、オゾン発生装置５を間欠運転するように制御する。即ち、図示しないタイマーを有し、オゾン発生装置５に設けられている発停スイッチを備えた発停部５３を制御し、１日に１〜２時間程度オゾン発生装置を運転し、他の時間では運転を停止する。
【００３１】
例えば冷却塔の用水が空調用の冷却水として使用されるときには、気温の低い冬場等において空調機の冷水ポンプが停止されたり、冷水ポンプは運転されていても主循環ポンプ１８を運転せず冷却塔１を使用しない場合がある。このようなときでもオゾン発生装置５を連続で運転すれば、水槽１２内の水が高濃度にオゾン水化され、２〜３ppm にも到達して過剰オゾン状態になる。その結果、冷却塔の装置各部や配管のオゾンによる劣化が促進される。又、オゾン発生装置を無駄に運転することになり、省エネに反すると共に装置の運転及び維持費用も高くなる。一方、冬場の低温時であっても、オゾン発生装置を完全に停止させると微生物の増殖が避けられない。このような場合に、本例の如くオゾン発生装置５を間欠運転すれば、以上のすべての問題が解決される。
【００３２】
更に、工場やビルの空調設備では、夏期休暇時等にある程度長い日数の間運転を停止されることがある。このようなときでも、特に水温の高い夏場でもあるためオゾン発生装置の運転を完全に停止できないことは勿論であるが、連続運転による過剰オゾンの問題も無視できない。ここで本例の間欠運転装置が極めて有効になる。
【００３３】
ところで、前記の如く、水温の低い冬場では運転時のオゾン発生装置の出力が自動的に５０％になり、一方、水温の高い夏期休暇時等では１００％になる。従って、冬でも夏でも同じ間欠運転時間を設定することにより、間欠運転時にも水温差に対応した装置の出力制御が行われ、オゾン濃度の過不足のない良好な運転状態が自動的に維持される。そして、このように自動的にオゾン発生装置の出力及び運転時間を変更できるようにすれば、運転操作の煩雑性が回避されて省力化が図られると共に、人による誤操作も回避され、装置の良好な運転性や安全性を高めることができる。
【００３４】
【発明の効果】
以上の如く本発明によれば、請求項１の発明においては、用水の一部分を取り出す取水管系とこれから水槽に接続された下部戻し管系と取水管系から散水トレーに接続された上部戻し管系とを設けるので、冷却に使用する用水の主循環系に対してその一部分を取水して水槽もしくは散水トレー又はこれらの双方に戻す分岐系を形成することができる。
【００３５】
そして、高濃度のオゾンガスを発生させるオゾン発生装置を備え発生させたオゾンガスを下部戻し管系又は上部戻し管系のうちの少なくとも何れかに供給可能なオゾン供給系を設けるので、オゾンガスの発生量を多くしたときには水槽又は散水トレー内の水中にオゾンを残留させることができる。そして、オゾン供給系から例えば交互に下部及び上部分岐系にオゾンを供給し、分岐系内のレジオネラ菌を直接殺菌すると共に、水槽及び散水トレーの水中の残留溶存オゾンにより、それらの部分のレジオネラ菌を殺菌することができる。
【００３６】
又、用水の温度を検出する温度検出手段と、これで検出された用水の温度に対応してオゾンガスの量を制御する制御手段を設けるので、自動的に温度の高いときにはオゾンガス量を多くし温度の低いときには少なくすることができる。ここで、用水温度が高いときにはレジオネラ菌の増殖が多くなるが、前記の如く、高濃度でオゾンガス発生量を多くして分岐系の水を高濃度のオゾン水にし、水槽及び散水トレーの両方へオゾン水を供給して用水循環系でのオゾンの消滅及び蒸発部での気散によるオゾンの消滅を補い、又、これらに残留オゾンを存在させるように高濃度オゾンガスを多く供給してこれらの部分での殺菌効果を確保できるようにするので、これらの各構成及び作用の相乗的効果の発生により、用水の全体においてレジオネラ菌の数を確実に１００ＣＦＵ／１００ｍｌ程度以下という人体に対して悪影響を及ぼさない極めて少ない値にすることができる。
【００３７】
一方、用水温度が低下すると、レジオネラ菌を含む微生物や藻類の繁殖も少なくなり、且つ水温の低下に対応して水に対するオゾンの溶解度が高くなり、更に水中の溶存オゾンの自己分解作用も低下し、オゾンを必要とする複数の要因の何れもが減少するので、このようなときには、温度検出手段で検出した低い温度に対応して制御手段が発生オゾン量を少なくするように制御するので、レジオネラ菌の殺菌効果を維持しつつ、過剰なオゾン供給を防止し、電力消費量を減らして運転コストを下げ、又、オゾンによる装置の劣化促進を阻止して保守費用の低減を図ることができる。
【００３８】
請求項２の発明においては、用水の循環ラインに流れ検知手段を設け、これが流れの停止状態を検知すると、オゾン発生装置を間欠運転する間欠運転部を制御手段に設けるので、低温時等で冷却塔を使用しないときにオゾン発生装置を適正な時間間隔で間欠運転することにより、水槽水の高濃度オゾン水化の回避による装置各部や配管のオゾンによる劣化促進の防止し、オゾン発生装置の不必要な運転の回避よる運転費用及び及び維持費用の一層の低減を図ることができる。
【図面の簡単な説明】
【図１】本発明を適用した冷却塔のオゾン殺菌装置の構成例を示す説明図である。
【図２】（ａ）及び（ｂ）はそれぞれ上記装置の冷却塔の水槽部分の斜視図及び部分正面図である。
【図３】用水温度に対応して制御すべきオゾン発生装置の電流又は出力の比率を示す曲線図である。
【図４】本発明を適用した冷却塔のオゾン殺菌装置の他の構成例を示す説明図である。
【符号の説明】
１              冷却塔
２              取水管系
３              下部戻し管系
４              上部戻し管系
５              オゾン発生装置
６              オゾン供給系
７              温度センサ（温度検出手段）
８              コントローラ（制御手段）
８ａ            間欠運転部
９              フロースイッチ（流れ検知手段）
１１            散水トレー
１２            水槽
【図１】
0004305582.tif 000003
【図２】
0004305582.tif 000004
【図３】
0004305582.tif 000005
【図４】
0004305582.tif 000006